(57)【要約】【課題】  電源スイッチのオン・オフの切り換えによって発光する色を次々と異なるものに容易に変更することができる車両用ＬＥＤスモールランプを提供する。【解決手段】  車両の正面、側面、または背面に装着されるＬＥＤスモールランプであって、第１色を発光するＬＥＤを、第１色と異なる第２色を発光するＬＥＤとを具備し、ＬＥＤスモールランプに最初に電流が流れると第１色が発光し、その後電流を流すのを止めて再び電流を流すと第２色が発光することを特徴とする車両用ＬＥＤスモールランプ。ラップの折り込み及びフラップの粘着テープによる接合の動作を行うことを特徴とする。【選択図】図２
0003168122.tif 000002
【実用新案登録請求の範囲】
【請求項１】
車両の正面、側面、または背面に装着されるＬＥＤスモールランプであって、第１色を発光するＬＥＤを、第１色と異なる第２色を発光するＬＥＤとを具備し、ＬＥＤスモールランプに最初に電流が流れると第１色が発光し、その後電流を流すのを止めて再び電流を流すと第２色が発光することを特徴とする車両用ＬＥＤスモールランプ。
【請求項２】
第２色の発光後、電流を流すのを止めて再び電流を流すと第１色が発光し、第１色と第２色が電流のオン・オフを繰り返すことによって交互に切り換えられて発光することを特徴とする請求項１に記載の車両用ＬＥＤスモールランプ。
【請求項３】
車両の正面、側面、または背面に装着されるＬＥＤスモールランプであって、第１色を発光するＬＥＤと、第２色を発光するＬＥＤと、・・・・・・、第ｎ色（ｎは３以上の整数）を発光するＬＥＤとを具備し、これらのｎ個のＬＥＤが互いに異なる色を発光し、ＬＥＤスモールランプに最初に電流が流れると第１色が発光し、その後電流を流すのを止めて再び電流を流すと第２色が発光し、同じ操作により順に第ｎ色まで発光することを特徴とする車両用ＬＥＤスモールランプ。
【請求項４】
第ｎ色の発光後、電流を流すのを止めて再び電流を流すと第１色が発光し、電流のオン・オフを繰り返すことによって、第１色から第ｎ色まで、そして第ｎ色から第１色に、さらに第１色から第ｎ色まで順に永遠に切り換えられて発光することを特徴とする請求項３に記載の車両用ＬＥＤスモールランプ。
【請求項５】
ある色のＬＥＤの発光後、電流停止時間が一定時間以上経過してから電流を流すと最初に第１色のＬＥＤが発光することを特徴とする請求項１〜４のいずれかに記載の車両用ＬＥＤスモールランプ。
【請求項６】
電流のオン・オフは車両の別のスモールランプのスイッチのオン・オフによってなされることを特徴とする請求項１〜５に記載の車両用ＬＥＤスモールランプ。
【請求項７】
第１色が橙色であることを特徴とする請求項１〜６に記載の車両用ＬＥＤスモールランプ。
【請求項８】
トラックの側面に装着されることを特徴とする請求項１〜７に記載の車両用ＬＥＤスモールランプ。
【考案の詳細な説明】
【技術分野】
【０００１】
本考案は、スモールランプのオン・オフスイッチのような電源スイッチのオン・オフの切り換えによって発光する色を異なるものに簡単に変更することができる車両用ＬＥＤスモールランプに関するものである。
【背景技術】
【０００２】
乗用車、トラックなどの自動車の正面、側面、または背面には、様々なスモールランプが後付けで装着されている。このようなスモールランプは、新車時にベース車両に装着されているものとは違い、白色以外の色に発光するものが多い。特にスモールランプがＬＥＤからなるものは、様々な色を発光させるように作ることが容易である。
【０００３】
スモールランプの発光色に関しては、仕事先や目立ちたくない場合は通常の橙色で発光させ、それ以外の通常走行時またはプライベート時では橙色とは異なる好みの色で発光させたいという要望がある。特に装飾した大型トラックを運転する者にとっては、そのような要望が強い。
【０００４】
しかしながら、従来の車両用のＬＥＤランプは、単一の発光色のものが多く、異なる発光色のランプを複数組み合わせてその要望に答えようとしているのが現状である。また、ランプの切り換えに関しても、ハイライトとロービームの切り換えや点灯と消灯の切換えを自動的に行なうもの（特許文献１参照）や、ヘッドランプとスモールランプの切り換えを自動的に行うもの（特許文献２参照）が従来から提案されているが、簡単な構成の単一のＬＥＤランプで複数の発光色の切り換えを容易に行なえるようにしたものは未だ提案されていないのが現状である。
【先行技術文献】
【特許文献】
【０００５】
【特許文献１】特開２００２−３６９４６号
【特許文献２】登録実用新案第３０５９２５５号
【考案の概要】
【考案が解決しようとする課題】
【０００６】
本考案は、上記従来技術の現状に鑑みなされたものであり、その目的は、電源スイッチのオン・オフの切り換えによって発光する色を次々と異なるものに容易に変更することができる車両用ＬＥＤスモールランプを提供することにある。
【課題を解決するための手段】
【０００７】
本考案者は、上記目的を達成するために鋭意検討した結果、本考案の完成に至った。即ち、本考案は、以下の（１）〜（８）の構成を有するものである。
（１）車両の正面、側面、または背面に装着されるＬＥＤスモールランプであって、第１色を発光するＬＥＤを、第１色と異なる第２色を発光するＬＥＤとを具備し、ＬＥＤスモールランプに最初に電流が流れると第１色が発光し、その後電流を流すのを止めて再び電流を流すと第２色が発光することを特徴とする車両用ＬＥＤスモールランプ。
（２）第２色の発光後、電流を流すのを止めて再び電流を流すと第１色が発光し、第１色と第２色が電流のオン・オフを繰り返すことによって交互に切り換えられて発光することを特徴とする（１）に記載の車両用ＬＥＤスモールランプ。
（３）車両の正面、側面、または背面に装着されるＬＥＤスモールランプであって、第１色を発光するＬＥＤと、第２色を発光するＬＥＤと、・・・・・・、第ｎ色（ｎは３以上の整数）を発光するＬＥＤとを具備し、これらのｎ個のＬＥＤが互いに異なる色を発光し、ＬＥＤスモールランプに最初に電流が流れると第１色が発光し、その後電流を流すのを止めて再び電流を流すと第２色が発光し、同じ操作により順に第ｎ色まで発光することを特徴とする車両用ＬＥＤスモールランプ。
（４）第ｎ色の発光後、電流を流すのを止めて再び電流を流すと第１色が発光し、電流のオン・オフを繰り返すことによって、第１色から第ｎ色まで、そして第ｎ色から第１色に、さらに第１色から第ｎ色まで順に永遠に切り換えられて発光することを特徴とする（３）に記載の車両用ＬＥＤスモールランプ。
（５）ある色のＬＥＤの発光後、電流停止時間が一定時間以上経過してから電流を流すと最初に第１色のＬＥＤが発光することを特徴とする（１）〜（４）のいずれかに記載の車両用ＬＥＤスモールランプ。
（６）電流のオン・オフは車両の別のスモールランプのスイッチのオン・オフによってなされることを特徴とする（１）〜（５）に記載の車両用ＬＥＤスモールランプ。
（７）第１色が橙色であることを特徴とする（１）〜（６）に記載の車両用ＬＥＤスモールランプ。
（８）トラックの側面に装着されることを特徴とする（１）〜（７）に記載の車両用ＬＥＤスモールランプ。
【考案の効果】
【０００８】
本考案の車両用ＬＥＤスモールランプは、様々な発光色の変更を電流のオン・オフのみで容易に次々と行なうことができる。また、既存のスモールランプを本考案のランプに変更するだけで、そのスモールランプのスイッチを使って、一般的な白色光と、それ以外の望みの色の光を簡単に選択して様々な色の光を発光させることができる。
【図面の簡単な説明】
【０００９】
【図１】本考案の車両用ＬＥＤスモールランプの一例の外観を示す。
【図２】本考案の車両用ＬＥＤスモールランプの発光色の切り換えの構成の一例を示す。
【図３】本考案の車両用ＬＥＤスモールランプの発光色の切り替えの構成の別の例を示す。
【考案を実施するための形態】
【００１０】
本考案のＬＥＤスモールランプは、車両の正面、側面または背面、特にトラックの側面に装着されるものであり、互いに異なる複数の色を順次切り換えて発光できるようにしたものである。
【００１１】
本考案のＬＥＤスモールランプの一例の外観を図１に示す。図１の上方部分が発光部分であり、下方部分が電源から電流を受ける部分である。図１の上方部の頂部には３つのＬＥＤチップが均等配置で載っており、側面部には縦方向に３連のＬＥＤチップが周囲に５面で３６０°均等に配置されている。ランプ全体としては、ＬＥＤが２色以上の異なる色を発光できるようになっている。
【００１２】
まず本考案のＬＥＤスモールランプが第１色を発光するＬＥＤと、第１色と異なる第２色を発光するＬＥＤとから構成される場合について図２に基づいて説明する。電源からＬＥＤランプに最初に電流が流れると、ポイントコントローラによって第１色発光ＬＥＤにのみ電流が流れるように向けられる。次いで、いったん電源からＬＥＤランプに電流を流すのを止めてから再び電流を流すと、ポイントコントローラからの電流の送り先が第２色発光ＬＥＤに変わり、第２色発光ＬＥＤにのみ電流が流れるように向けられる。そして、順次同じように電源のオン・オフによって電流を流したり停止することによってポイントコントローラの電流の送り先が第１色発光ＬＥＤと第２発光ＬＥＤの間で変わり、これらのＬＥＤを交互に切り換えて発光することができる。
【００１３】
次に、本考案のＬＥＤスモールランプが第１色を発光するＬＥＤと、第２色を発光するＬＥＤと、・・・・・・、第ｎ色（ｎは３以上の整数）を発光するＬＥＤとから構成され、これらのｎ個のＬＥＤが互いに異なる色を発光する場合について図３に基づいて説明する。本考案のＬＥＤスモールランプが３つ以上の異なる発光色を発光するＬＥＤを具備する場合も原理は上記の場合と基本的に同じである。電源からＬＥＤランプに最初に電流が流れると、ポイントコントローラによって第１色発光ＬＥＤにのみ電流が流れるように向けられる。次いで、いったん電源からＬＥＤランプに電流を流すのを止めてから再び電流を流すとポイントコントローラからの電流の送り先が第２色発光ＬＥＤに変わり、第２色発光ＬＥＤにのみ電流が流れるように向けられる。そして、同じ電源のオン・オフ操作を繰り返すことによりポイントコントローラの電流の送り先が順に第ｎ色発光ＬＥＤまで変わり、これらのＬＥＤを順に切り換えて発光することができる。また、順次同じ電源のオン・オフ操作を永遠に繰り返すことにより第１色から第ｎ色までだけでなく、さらに第ｎ色から第１色に、さらに第１色から第ｎ色と永遠に順次切り換えて発光させることもできる。
【００１４】
本考案のＬＥＤスモールランプの発光色は、複数存在することが必要であり、白色、黄色、赤色、紫色、青色、橙色、緑色、茶色など様々な発光色から適宜選択することができる。但し、最も使用する頻度が高いのは橙色であるので、基本色である第１色を橙色とすることが好ましい。
【００１５】
本考案のＬＥＤスモールランプの電源のオン・オフ（電流のオン・オフ）は、独立したスイッチのオン・オフによってなされてもよいが、既存のスイッチを利用する場合にはＬＥＤスモールランプとは別の既存のスモールランプのスイッチのオン・オフによってなされることが好ましい。これにより、既存のスモールランプを本考案のランプに取り替えるだけで上記の発光色の変更を容易に行うことができる。
【００１６】
本考案のＬＥＤスモールランプは、多数の発光色を順次切り換えることができるが、基本色（第１色）に戻りたい場合には、電流停止時間が一定時間以上（例えば３０秒以上）経過してから電流を流した場合に第１色のＬＥＤが発光するようにポイントコントローラを設定することができる。
【産業上の利用可能性】
【００１７】
本考案の車両用ＬＥＤスモールランプは、スモールランプ等の電源スイッチで電流のオン・オフをするだけで次々と発光色を簡単に変更することができるので、装飾した大型トラック等の自動車に装着するのに極めて好適である。
【図１】
0003168122.tif 000003
【図２】
0003168122.tif 000004
【図３】
0003168122.tif 000005